(57)【要約】      （修正有）【課題】高天井であっても天井裏からの組立てと、天井裏からのランプ交換やクリーニングのためのメンテナンスを容易にする照明器具を提供すること。【解決手段】光源ランプのソケット６を覆うソケットカバー１１と天板１２とからなるソケット部材１と、前記ソケット部材１のソケットカバー１１の下方位置に取り付けられた光源ランプの光を乱反射させる反射板２１と、前記ソケット部材１に取り付けられた枠体３と、前記枠体３の下端に取り付けられた下面カバー４と、前記下面カバー４の内方に配置された透光ガラス５との各部材を有する照明器具１０であって、前記各部材は、取り付け取り外し可能な取り付け手段によって組み立てられ、且つ、前記下面カバー４の内面に前記反射板２１の下端との間に間隙を設けて透光ガラス５を支持する支持部材を有するものである。【選択図】図２
0003105472.tif 000002
【実用新案登録請求の範囲】
【請求項１】
光源ランプのソケットを覆うソケットカバーと天板とからなるソケット部材と、
前記ソケット部材のソケットカバーの下方位置に取り付けられた光源ランプの光を乱反射させる反射板と、
前記ソケット部材に取り付けられた枠体と、
前記枠体の下端に取り付けられた下面カバーと、
前記下面カバーの内方に配置された透光ガラスとの各部材を有する照明器具であって、
前記各部材は、取り付け取り外し可能な取り付け手段によって組み立てられ、
且つ、
前記下面カバーの内面に前記反射板の下端との間に間隙を設けて透光ガラスを支持する支持部材を有することを特徴とする照明器具。
【考案の詳細な説明】
【技術分野】
【０００１】
本考案は、建屋の天井に埋め込まれて設置される照明器具、とくに、下方の床面を照明するダウンライトに好適な取り付け照明器具に関する。
【背景技術】
【０００２】
本願出願人は、先に下記特許文献１において、ランプの光を乱反射させるために内面を多面体の鏡面状とした反射板と、この反射板を天板部に装着するメタルハライドランプ用のソケットとを有し、さらに、このソケットを既設のソケットと取り替え可能として反射板とソケットを既設のダウンライトの固定反射板の内側に収まるようにしたダウンライト器具を開示した。
【０００３】
このダウンライト器具は、既設のダウンライトの本体をそのまま利用して取り付けるので、天井の改装工事の必要がなく、内装のイメージもそのまま維持できる、消費電力の小さいメタルハライドランプを使用できるので、大幅に使用電力量を削減でき、照明効率を向上でき、発熱量が減少して、建屋内の空調効率がよくなるという利点を有する。  
【特許文献１】特開２００３−１５１３１０号公報
【考案の開示】
【考案が解決しようとする課題】
【０００４】
本考案は、内面を多面体の鏡面状とした反射板の利点を活かして、建物の天井に新規にダウンライトを取り付けるための器具への適用を思い付いたことにより完成したのである。
【０００５】
そして、このダウンライトを建物の天井に新たに設けたにしても、その取り付け位置は、高い天井である場合が多く、そのため、組立て取り付け、さらには、取り付け後のランプの交換やクリーニング等のメンテナンスに手間とコストがかかるという問題を有するものであった。
【０００６】
また、通常、高位置に取りつけられるダウンライト内部へは、そのハライドランプによる集虫作用によって、小虫が侵入し易く、この侵入した虫の除去に手間を要していた。
【０００７】
本考案が解決しようとする課題は、高天井であっても天井裏からの組立てと、天井裏からのランプ交換やクリーニングのためのメンテナンスを容易にする照明器具を提供することにある。
【０００８】
本考案の他の課題は、天井裏からの組立てとメンテナンスを容易にすることに併せて、下面に設けられたガラス面の内側への虫類の侵入を防ぐ構造を提供することにある。
【課題を解決するための手段】
【０００９】
本考案は、光源ランプのソケットを覆うソケットカバーと天板とからなるソケット部材と、前記ソケット部材のソケットカバーの下方位置に取り付けられた光源ランプの光を乱反射させる反射板と、前記ソケット部材に取り付けられた枠体と、前記枠体の下端に取り付けられた下面カバーと、前記下面カバーの内方に配置された透光ガラスとの各部材を有する照明器具であって、前記各部材は、取り付け取り外し可能な取り付け手段によって組み立てられ、且つ、前記下面カバーの内面に前記反射板の下端との間に間隙を設けて透光ガラスを支持する支持部材を有することを特徴とする。
【考案の効果】
【００１０】
本考案の照明器具は、取り付けが簡単で、天井裏から全てのメンテナンス作業が可能な上、内部への小虫の侵入を効果的に防ぐことができる。
【考案を実施するための最良の形態】
【００１１】
以下、本考案をダウンライト器具に適用した添付図に示す実施例に基づいて具体的に説明する。
【００１２】
本考案に係るダウンライト器具の組立部材を示す図１において、本考案に係るダウンライト器具１０は、それぞれの部材を組立てた後のダウンライト器具の断面構造を示す図２のように、光源ランプ（図示せず）のソケット６をカバーするソケット部材１と、このソケット部材１の下方位置に取り付けられた反射板部材２と、ソケット部材１の外周に取り付けられた枠体３と、この枠体３の下端に設けられたリング状の下面カバー４とからなる。
【００１３】
さらに、ソケット部材１は、光源ランプ（図示せず）のソケット６を覆うソケットカバー１１と天板１２とからなる。
【００１４】
反射板部材２は、横断面形状が正１８角形の笠状の１８面体からなる反射板２１と、この反射板２１の取り付け板２２と、その取り付け板２２の上面に取りつけられた筒体２３とから構成され、筒体２３をソケットカバー１１に取り付けることによって懸架されている。
【００１５】
反射板２１の素材はアルミニウムであり、その内面の反射面はアルミニウムの表面にチタン・シリコンをコーティングすることによって鏡面状としている。
【００１６】
反射板の形状としては、球面状、多面体状など任意の形態とすることができるが、多面体の場合は、反射効率を向上させる点から、１８面体以上の多面体とするのがよい。
【００１７】
枠体３は、ダウンライト器具１０全体を天井Ｔに取り付け、さらに、下面カバー４を取り付けるためのもので、ソケット部材１の天板１２との取り付け部３１と、外枠３２と、その外枠３２から、図１に示すように外方に展開する支持部材３３と、外枠３２の下端に取り付けられたリング３４を有する。
【００１８】
そして、外方に展開した支持部材３３を天井Ｔの裏面に載置して、この天井Ｔの裏面にダウンライト器具１０全体を懸架する。
【００１９】
ダウンライト器具１０の天井への懸架にあたっては、取り付けるべき天井の状態によっては、外枠３２の下面に設けたフランジ３５を併用し、このフランジ３５と支持部材３３で天井を挟持してダウンライト器具１０全体の天井側への懸架を確実にすることができる。
【００２０】
下面カバー４は、任意の取り付け手段によって枠体３の外枠３２の下部に取り外し自在に取り付けられ、その内方には、反射板２１の下端との間に空気が流通できる隙間を設けて、グレア（眩しさ）を低減するための透光波打ちガラス５を支持する。
【００２１】
具体的に下面カバー４と外枠３２との取り付け手段としては、図２及び図３に示すように、バネ製のピン４１を外枠３２に設けた係止部３２ａに取り外し自在に係止させるようにしたピン止め手段を用いることができる。
【００２２】
さらに、下面カバー４は、反射板２１の下端との間に空気が流通できる隙間を設けて、透光波打ちガラス５を支持するために、その内方に透過光波打ちガラス５を部分的に挟持する支持部材４２を設けた波打ち形状とする。これによって、ダウンライト器具１０への虫の侵入も防止することができる。
【００２３】
そのダウンライト器具１０の取り付けは、下面カバー４と外枠３２の下端との取り付けを除いて、任意にネジ止めとすることによって、天井裏から簡単に組立て取り付けができるようになった。
【００２４】
また、部分的にも、簡単に分解が可能であるので、メンテナンスが簡単になり、また、従来から最も厄介であった虫の侵入を防ぐことができ、メンテナンスの回数自体を減らすことができた。
【産業上の利用可能性】
【００２５】
本考案の照明器具は、天井に取り付けられるダウンライト器具としてだけでなく、取り付け部材を固定用部材とするだけで、壁面、床面への適用が可能である。
【図面の簡単な説明】
【００２６】
【図１】本考案に係るダウンライト器具の組立部材を示す。
【図２】それぞれの部材を組立てた後のダウンライト器具の断面構造を示す。
【図３】枠体への下面カバーの取り付け要領を示す。
【符号の説明】
【００２７】
１  ソケット部材
１１  ソケットカバー
１２  天板
２  反射板部材
２１  反射板
２２  反射板の取り付け板
２３  筒体
３  枠体
３１  天板との取り付け部
３２  外枠
３２ａ  係止部
３３  支持部材
３４  リング
３５  フランジ
４  下面カバー
４１  ピン
４２  支持部材
５  透光波打ガラス
６  ソケット
１０  ダウンライト器具
【図１】
0003105472.tif 000003
【図２】
0003105472.tif 000004
【図３】
0003105472.tif 000005